(57)【要約】【課題】回転つまみの回動位置に応じた所望の照光を行う電子部品を提供する。【解決手段】フレキシブル回路基板２０と、回転体６０と、回転体６０の回転によってその電気的出力を変化する摺動子７０と摺接パターン２３からなる電気的機能部と、回転体６０を収納するケース９０と、ケース９０上部に設置されこのケース９０を介して回転体６０と一体に移動自在に設置される回転つまみ１２０とを具備する。回転体６０の下側に発光素子２５を設置する。ケース９０の発光素子２５に対向する位置に第１透光部１０１を設ける。回転体６０の所定の移動位置において第１透光部１０１に対向する位置に第２透光部６５を設ける。回転つまみ１２０の回転体６０の第２透光部６５に対向する位置に第３透光部１２７を設ける。第１，第２，第３透光部１０１，６５，１２７が上下に対向した際に発光素子２５の光を第３透光部１２７から放射させる。【選択図】図３
2008123902.tif 000002
【特許請求の範囲】
【請求項１】
回路基板と、
前記回路基板上に移動自在に設置される移動体と、
前記回路基板と移動体との間に設置されて移動体の移動によってその電気的出力を変化する電気的機能部と、
前記移動体を収納するケースと、
前記ケース上部に設置されこのケースを介して前記移動体と一体に移動自在に構成されるつまみと、を具備してなる電子部品において、
前記移動体の下側に発光素子を設置すると共に、前記ケースの発光素子に対向する位置に上下に光を通す第１透光部を設け、
前記移動体の所定の移動位置において前記第１透光部に対向する位置に上下に光を通す第２透光部を設け、
さらに前記つまみの前記移動体の第２透光部に対向する位置に上下に光を通す第３透光部を設け、前記第１，第２，第３透光部が上下に対向した際に発光素子の光をつまみの第３透光部から放射させることを特徴とする電子部品。
【請求項２】
前記つまみの上面には銘板が取り付けられており、この銘板の前記第３透光部に対向する部分に光を通して所望の表示を行う透光表示部を設けたことを特徴とする請求項１に記載の電子部品。
【請求項３】
前記電子部品の中央には開口を設け、この開口内に他の電子部品を設置したことを特徴とする請求項１又は２に記載の電子部品。
【請求項４】
前記電子部品の中央の開口内には、他の電子部品の円筒状の外周側面に設けたクリック係合部にクリック体を弾接させることで、前記第２透光部が前記第１透光部に対向する位置で前記移動体を係止してクリック感覚を生じさせるクリック機構を設けたことを特徴とする請求項３に記載の電子部品。
【発明の詳細な説明】
【技術分野】
【０００１】
本発明は、照光機能を有する電子部品に関するものである。
【背景技術】
【０００２】
従来、回転式電子部品の中には、回転つまみを有し、この回転つまみを回転することでその電気的出力を変化するものがあった。その際回転つまみの中央に開口を設け、開口内に別の電子部品を設置する場合もあった（例えば特許文献１）。
【０００３】
一方回転式電子部品の中には、携帯機器の機能選択用のつまみのように、その回転つまみの表面にリング状に記号等の表示を複数印刷形成し、回転つまみの回動位置に応じて選択した機能等がわかるように構成したものがある。
【０００４】
しかしながら従来、回転つまみの回動位置に応じて選択した所定の機能の表示のみをその裏面側から照光できる構造のものについては、構造が複雑であった。
【特許文献１】特開２００１−１８４９６７号公報
【発明の開示】
【発明が解決しようとする課題】
【０００５】
本発明は上述の点に鑑みてなされたものでありその目的は、回転つまみの回動位置に応じて所望の照光を行うことができる簡便な構造の電子部品を提供することにある。
【課題を解決するための手段】
【０００６】
本願請求項１に記載の発明は、回路基板と、前記回路基板上に移動自在に設置される移動体と、前記回路基板と移動体との間に設置されて移動体の移動によってその電気的出力を変化する電気的機能部と、前記移動体を収納するケースと、前記ケース上部に設置されこのケースを介して前記移動体と一体に移動自在に構成されるつまみと、を具備してなる電子部品において、前記移動体の下側に発光素子を設置すると共に、前記ケースの発光素子に対向する位置に上下に光を通す第１透光部を設け、前記移動体の所定の移動位置において前記第１透光部に対向する位置に上下に光を通す第２透光部を設け、さらに前記つまみの前記移動体の第２透光部に対向する位置に上下に光を通す第３透光部を設け、前記第１，第２，第３透光部が上下に対向した際に発光素子の光をつまみの第３透光部から放射させることを特徴とする電子部品にある。
【０００７】
本願請求項２に記載の発明は、前記つまみの上面には銘板が取り付けられており、この銘板の前記第３透光部に対向する部分に光を通して所望の表示を行う透光表示部を設けたことを特徴とする請求項１に記載の電子部品にある。
【０００８】
本願請求項３に記載の発明は、前記電子部品の中央には開口を設け、この開口内に他の電子部品を設置したことを特徴とする請求項１又は２に記載の電子部品にある。
【０００９】
本願請求項４に記載の発明は、前記電子部品の中央の開口内には、他の電子部品の円筒状の外周側面に設けたクリック係合部にクリック体を弾接させることで、前記第２透光部が前記第１透光部に対向する位置で前記移動体を係止してクリック感覚を生じさせるクリック機構を設けたことを特徴とする請求項３に記載の電子部品にある。
【発明の効果】
【００１０】
請求項１に記載の発明によれば、簡便な構造の電子部品であり、しかも移動体（つまみ）が所定の移動位置にあるときにつまみの第３透光部から発光素子の光を放射させることができ、一方移動体（つまみ）が所定の移動位置にないときは移動体及びつまみに遮られることで発光素子の光は前記第３透光部から放射されない。これらのことから移動体（つまみ）が所定の移動位置にあるときのみにつまみの第３透光部から発光素子の光を放射させることができ、移動体（つまみ）の移動位置に応じた効果的な照光を行うことができる。
【００１１】
請求項２に記載の発明によれば、つまみの上面に取り付けた銘板の透光表示部を移動体（つまみ）の移動位置に応じて効果的に照光することができる。
【００１２】
請求項３に記載の発明によれば、中央に他の電子部品を設置した構造の電子部品の効果的な照光を行うことができる。
【００１３】
請求項４に記載の発明によれば、移動体がクリック機構によって係止される位置で発光素子の光をつまみの第３透光部から放射させることができる。また他の電子部品の外周側面を用いてクリック機構を構成するので、クリック機構の構造が簡単になる。
【発明を実施するための最良の形態】
【００１４】
以下、本発明の実施形態を図面に基づいて詳細に説明する。
図１，図２は本発明の第１実施形態にかかる電子部品（以下「揺動式電子部品付き回転式電子部品」という）１−１の分解斜視図であり、図１はその上側部分、図２はその下側部分を示している。また図３は揺動式電子部品付き回転式電子部品１−１の概略断面図（図示の都合上、各部の断面は一致していない）である。図１，図２に示すように揺動式電子部品付き回転式電子部品１−１は、取付部材（以下「取付板」という）１０上に、回路基板（以下「フレキシブル回路基板」という）２０を載置し、その上に他の電子部品（以下「揺動式電子部品」という）４０と、移動体（以下「回転体」という）６０と、ケース９０と、つまみ（以下「回転つまみ」という）１２０と、銘板１５０とを設置して構成されている。以下各構成部品について説明する。なお以下の説明において、「上」はつまみ１２０や揺動式電子部品４０を操作する側を、「下」はその反対側を言うものとする。
【００１５】
取付板１０は硬質の金属板や樹脂板からなる平板であり、その所定位置に下記する揺動式電子部品４０取付用の複数（８つ）の貫通する小孔からなる取付穴１１と、下記するケース９０取付用の複数（４つ、但し図２では３つのみ示す）の貫通する小孔からなる取付部１３とを設けて構成されている。
【００１６】
フレキシブル回路基板２０は可撓性を有する合成樹脂フイルム（例えばポリエチレンテレフタレートフイルム）２２上に５つの押圧スイッチ２１と、押圧スイッチ２１の外周を囲む位置に設置される一対の摺接パターン２３及び発光素子２５と、前記取付板１０の各取付穴１１に対向する位置に設けられる複数（８つ）の貫通する小孔からなる取付穴２７と、前記取付板１０の各取付部１３に対向する位置に設けられる複数（４つ）の貫通する小孔からなる取付部２９とを具備して構成されている。押圧スイッチ２１は中央の押圧スイッチ２１の周囲に等角度間隔で４つの押圧スイッチ２１を配置するように設置されている。何れの押圧スイッチ２１もフレキシブル回路基板２０上に形成した図示しない一対のスイッチパターン上に金属板をドーム形状に形成した反転板（可動接点板）を載置し、一方のスイッチパターンに反転板の外周を当接し、他方のスイッチパターンを反転板の中央下面に所定距離離間して対向して構成されている。摺接パターン２３は前記中央の押圧スイッチ２１を中心として円弧状に形成され、例えばスイッチパターンや抵抗体パターンによって構成されている。また発光素子２５は前記摺接パターン２３とほぼ同一の円弧軌跡上に設置されている。発光素子２５はフレキシブル回路基板２０上の図示しない回路パターンに接続されており、その表面には透明な絶縁性材料からなる図示しない封止樹脂３１（図３参照）が塗布されている。この実施形態では発光素子２５は複数の色彩の光に切り換えられる多色切換型発光素子で構成されており、発光素子２５の真上に位置する下記する第２透光部６５（即ち回転体６０の回転位置）に応じてその発光する色彩を切り換えるようにその電気回路が構成されている。なお回転体６０の回転位置は前記摺接パターン２３の出力信号を処理することによって検出する。
【００１７】
揺動式電子部品４０は略円筒状の収納ケース４１内に機構部品を収納し、その上面中央に設けた開口４３から操作レバー４５を突出して構成されている。操作レバー４５はこれを３６０°の方向に自由に揺動することができると共に直立状態の操作レバー４５を真下に押圧して押し込むことができ、揺動して下降した部分又は真下に押し込んで下降した部分に対向する位置の前記何れかの押圧スイッチ２１が押圧できるように構成されている（例えば図２において、操作レバー４５を右方向に揺動させれば右側の押圧スイッチ２１が押圧され、操作レバー４５を真下に押し込めば中央の押圧スイッチ２１が押圧される）。収納ケース４１の外周側面には円周方向に向かって等間隔に上下方向に延びる溝４７が設けられ、これらによって円周方向に凹凸状のクリック係合部４９が構成されている。また収納ケース４１の下面外周の前記フレキシブル回路基板２０に設けた各取付穴２７に対向する位置にはこれら取付穴２７に挿入される小突起状の取付部５１が設けられている。
【００１８】
回転体６０は合成樹脂を略円板状に形成し、その中央に上下に貫通する略円形の開口６１を設けて構成されている。回転体６０の上面の所定位置には下記するロック部材１７０を挿入する四角筒状のロック部材収納部６３が設けられ、また回転体６０の同一円周上の所定位置には複数（この実施形態では６個）の上下に貫通する円形の第２透光部６５が設けられ、また同様に回転体６０の同一円周上の所定位置には複数（この実施形態では４つ）の上下に貫通する矩形状の係止部６７が設けられ、また回転体６０の開口６１の内周面にはクリック機構収納部６９が設けられている。ロック部材収納部６３の底面には図３に示すように貫通する小孔からなるガイド孔６４が設けられている。前記複数の第２透光部６５は同一円弧上に等間隔に設けられている。またこの回転体６０の裏面側の所定位置には摺動子７０が取り付けられる。摺動子７０は弾性金属板製であり、略矩形状の基部７１の外周辺から一対のアーム部７３を突出してこれを基部７１の下面側に折り曲げ、その先端に下方向に凸となるように屈曲してなる摺接部７５を設けて構成されている。そして基部７１に設けた小孔７７に回転体６０の下面に設けた図示しない小突起を挿入してその先端を熱カシメすることでこの摺動子７０は回転体６０の下面に取り付けられる。クリック機構収納部６９には、クリック機構８０が設置される。図４（ａ）はクリック機構８０の要部概略平面図であり、図４（ｂ）は回転体６０の図４（ａ）のＡ−Ａ部分での断面概略図である。クリック機構８０は板バネ８１と金属製の球からなるクリック体８３とを具備している。板バネ８１は弾性金属板を細帯状で、中央に小円弧状に屈曲する部分（図４に示すクリック体係止部８５）を設けて構成されている。そして板バネ８１の両端をクリック機構収納部６９の両端に設けた有底の溝からなる係止部６９ａに係合し、板バネ８１のクリック体係止部８５に係止したクリック体８３を板バネ８１によって揺動式電子部品４０のクリック係合部４９に弾接し、その溝４７に係合するように設置する。前記クリック機構８０は、クリック体８３が溝４７に係合した際、即ち回転体６０が係止（静止）された位置で、第２透光部６５が下記するケース９０の第１透光部１０１に上下方向で対向する位置となるように設置されている。
【００１９】
ケース９０は合成樹脂製であり、中央に開口９３を有する円形の上面部９１の外周から下方向に向けて略円筒状の側壁部９５を設けることで、その下面側に前記回転体６０を収納する収納部９７を設けて構成されている。ケース９０の下端面の所定位置からは小突起状の取付係合部９９が突出している。各取付係合部９９は前記フレキシブル回路基板２０の各取付部２９に対向する位置にこれら取付部２９に挿入できる外径寸法で形成されている。ケース９０の上面部９１の前記発光素子２５に対向する位置には、上下に光を通す円形の貫通する第１透光部１０１が設けられている。この第１透光部１０１には、その下面側から導光体１１０が挿入され取り付けられる。導光体１１０は、透明な合成樹脂（例えばポリカーボネート樹脂やアクリル樹脂等）を略円形の柱状に成形して構成されており、その中央付近に半径方向外方に突出するつば部１１１を設けている。そして図３に示すように、導光体１１０は第１透光部１０１に挿入され、つば部１１１をケース９０の下面に当接して取り付ける。上面部９１の開口９３の内周辺の一部（約半周）には、これをくわえ込むようにロック部材１７０を取り付けるロック部材ガイド部１０３が設けられている。ロック部材１７０は合成樹脂製であり、その下部に前記ロック部材ガイド部１０３をくわえ込む略コ字状の本体部１７１と、本体部１７１の上面から突出する柱状の押圧部１７３とを具備して構成されている。本体部１７１はその全体が前記回転体６０のロック部材収納部６３に上下動自在にぴったり挿入される外形寸法形状に形成されている。本体部１７１の下面からは棒状のガイド突起１７５が突出している。ガイド突起１７５にはコイルバネ１７９が挿入され、前記回転体６０に設けたガイド孔６４（図３参照）に上下動自在に挿入される。また上面部９１のロック部材ガイド部１０３の下面の所定位置には、前記ロック部材１７０の本体部１７１（その下部）を挿入してその位置にロックする凹状のロック係合部１０５（図３に点線で示す）が設けられている。
【００２０】
回転つまみ１２０は合成樹脂を略円板状に成形し、円形の上面部１２１の外周辺から下方向に向かって円筒状に側壁部１２３を垂下して構成されている。上面部１２１の中央には円形に貫通する操作レバー露出部（開口）１２５が設けられ、また上面部１２１の外周近傍部分には外周近傍の円弧に沿って複数（６個）の円形に貫通する第３透光部１２７が設けられ、第３透光部１２７に隣接して前記ロック部材１７０の押圧部１７３を上下動自在に挿入する挿通部１２９が設けられている。各第３透光部１２７は前記回転体６０の各第２透光部６５に対向する位置に設けられており、また挿通部１２９は前記回転体６０のロック部材収納部６３に対向する位置に設けられている。図３に示すように、上面部１２１の下面の前記操作レバー露出部１２５の周囲の位置からは下方向に向かって突出する筒状の取付部１３１が設けられ、その下端辺からは前記回転体６０の各係止部６７に挿入される複数（４つ、但し図示は２つ）の小突起状の係止取付部１３３が突出している。
【００２１】
銘板１５０は合成樹脂フイルム（例えばポリエチレンテレフタレートフイルム等）に所望の印刷を行なったものであり、その中央に円形の開口１５１を設け、その外周の前記回転つまみ１２０の挿通部１２９に対向する部分に舌片状の切り欠き１５３を設け、さらに前記回転つまみ１２０の各第３透光部１２７に対向する部分に光を通して所望の表示を行う透光表示部１５５を設けて構成されている。透光表示部１５５は、前記合成樹脂フイルムを透明な材質で構成すると共に、印刷を設けない又は光を通す印刷とすることで、少なくともその部分においては光が（所望の模様や色彩等の装飾を伴なって）透過して所望の表示を行うように構成されている。
【００２２】
次に揺動式電子部品付き回転式電子部品１−１の組立方法を説明する。まず予め回転体６０の下面に摺動子７０を取り付け、また回転体６０のクリック機構収納部６９にクリック機構８０を設置し、また導光体１１０をケース９０の第１透光部１０１にその下側から挿入して取り付け、また回転つまみ１２０の上面に銘板１５０をその各透光表示部１５５が回転つまみ１２０の各第３透光部１２７に一致するようにして貼り付けておく。
【００２３】
そしてまず銘板１５０を取り付けた回転つまみ１２０の下側にケース９０を設置し、さらにケース９０の下側の収納部９７内に回転体６０を設置し、図３に示すように回転つまみ１２０の各係止取付部１３３を回転体６０の各係止部６７に挿入して各係止取付部１３３の先端を回転体６０の下面に突出してその先端を熱カシメする。なおこれら回転つまみ１２０とケース９０と回転体６０とを組み立てる前に、コイルバネ１７９をガイド突起１７５に取り付けたロック部材１７０の本体部１７１を、ケース９０のロック部材ガイド部１０３にくわえ込むように取り付けておき、前記組み立ての際に、コイルバネ１７６と共に本体部１７１の下部を回転体６０のロック部材収納部６３に挿入し、押圧部１７３を回転つまみ１２０の挿通部１２９に挿入する。
【００２４】
一方取付板１０上にフレキシブル回路基板２０を載置し、その上に揺動式電子部品４０を載置し、そのとき揺動式電子部品４０の各取付部５１をフレキシブル回路基板２０の各取付穴２７と取付板１０の各取付穴１１に挿入し、取付板１０の下面側に突出する各取付部５１の先端を熱カシメして固定する。
【００２５】
そして前記回転体６０と回転つまみ１２０を取り付けたケース９０を、揺動式電子部品４０を取り付けたフレキシブル回路基板２０上に載置し、その際回転体６０の開口６１に揺動式電子部品４０を挿入してクリック機構８０のクリック体８３を板バネ８１によって収納ケース４１のクリック係合部４９に弾接し、同時にケース９０の各取付係合部９９をフレキシブル回路基板２０の各取付部２９と取付板１０の各取付部１３とに挿入し、取付板１０の下面から突出する取付係合部９９の先端を熱カシメして固定する。これによって図３に示す揺動式電子部品付き回転式電子部品１−１が完成する。
【００２６】
図３に示すように揺動式電子部品付き回転式電子部品１−１は、フレキシブル回路基板２０と、フレキシブル回路基板２０上に回転移動自在に設置される回転体６０と、フレキシブル回路基板２０と回転体６０との間に設置されて回転体６０の回転移動によってその電気的出力が変化する電気的機能部（摺動子７０と摺接パターン２３からなる）と、回転体６０を収納するケース９０と、ケース９０上部に設置されこのケース９０を介して回転体６０と一体に回転移動自在に設置される回転つまみ１２０とを具備して構成されている。
【００２７】
そして回転つまみ１２０を回転すると、これと一体に回転体６０が回転し、摺動子７０が摺接パターン２３上を摺動することで摺接パターン２３の電気的出力が変化する。同時に一体に回転する第２，第３透光部６５，１２７が、静止している第１透光部１０１に対向したとき（このときクリック体８３は何れかの溝４７に係合している）、発光素子２５の光が導光体１１０を通して回転つまみ１２０の第３透光部１２７から銘板１５０の透光表示部１５５を通してその上面側に放射され、所望の表示（所望の模様や色彩等）が明るく表示される。特にこの実施形態では発光素子２５は多色切換型発光素子なので、発光素子２５の真上に位置する第２透光部６５に応じてその発光する色彩を切り換え、これによって回転つまみ１２０が選択した透光表示部１５５の所望の表示がより確実且つ容易にこれを操作している者に伝わるようにしている。また導光体１１０を設けているので発光素子２５から発射された光を効率的に第１，第３透光部１０１，１２７に導くことができる。
【００２８】
つまりこの実施形態においては、回転体６０の下側に発光素子２５を設置すると共に、ケース９０の発光素子２５に対向する位置に上下に光を通す第１透光部１０１を設け、回転体６０の所定の回転移動位置において第１透光部１０１に対向する位置に上下に光を通す第２透光部６５を設け、回転つまみ１２０の回転体６０の第２透光部６５に対向する位置に上下に光を通す第３透光部１２７を設け、第１，第２，第３透光部１０１，６５，１２７が上下に対向した際に発光素子２５の光を回転つまみ１２０の第３透光部１２７から放射させる構成となっているので、回転体６０（回転つまみ１２０）が所定の回転移動位置にあるときに回転つまみ１２０の第３透光部１２７から発光素子２５の光を放射させることができ、一方回転体６０（回転つまみ１２０）が所定の移動位置にないときは回転体６０及び回転つまみ１２０に遮られることで発光素子２５の光は第３透光部１２７から放射されず、これらのことから回転体６０（回転つまみ１２０）が所定の移動位置にあるときのみに回転つまみ１２０の第３透光部１２７から発光素子２５の光を放射させることができ、回転体６０（回転つまみ１２０）の回転移動位置に応じた効果的な照光を行うことができる。
【００２９】
また回転つまみ１２０を回転する際、ロック部材１７０の本体部１７１はそのコ字状に凹んでいる部分がケース９０のロック部材ガイド部１０３をくわえ込んだ状態で移動するが、ロック部材ガイド部１０３の下面の所定位置に設けたロック係合部１０５（図３参照）にロック部材１７０の本体部１７１（その下部）が位置した際はコイルバネ１７９の弾発力によって本体部１７１がロック係合部１０５に係合し、回転体６０及び回転つまみ１２０はこの位置にロックされる。ロックを解除するにはロック部材１７０の押圧部１７３を押圧すれば良い。
【００３０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では発光素子２５として多色切換型発光素子を用いたが、単色の発光素子であっても良い。また上記実施形態では取付板１０上にフレキシブル回路基板２０を載置したが、フレキシブル回路基板２０の代りに硬質の回路基板を用いた場合は、取付板１０は不要である。上記実施形態では発光素子２５の数を１つとし、一ヶ所のみ照光したが、発光素子２５の数を複数とし、複数ヶ所を照光しても良い。上記実施形態では本発明を回転式電子部品に利用した例を示したが、移動体が直線状又は曲線状に移動することで電気的出力を変化させる構造のスライド式電子部品にも同様に本発明を適用できる。また電気的機能部の構成も種々の変更が可能であり、要は回路基板と移動体との間に設置されて移動体の移動によってその電気的出力が変化する電気的機能部であればどのような構成であっても良い。上記実施形態ではケース９０の第１透光部１０１に導光体１１０を取り付けたが、導光体１１０は省略しても良い。銘板１５０も場合に応じて省略しても良い。また回転式電子部品の中央に設置する他の電子部品は揺動式電子部品以外の各種電子部品であっても良い。
【図面の簡単な説明】
【００３１】
【図１】揺動式電子部品付き回転式電子部品１−１の上側部分の分解斜視図である。
【図２】揺動式電子部品付き回転式電子部品１−１の下側部分の分解斜視図である。
【図３】揺動式電子部品付き回転式電子部品１−１の概略断面図である。
【図４】図４（ａ）はクリック機構８０の要部概略平面図、図４（ｂ）は回転体６０の図４（ａ）のＡ−Ａ部分での断面概略図である。
【符号の説明】
【００３２】
１−１  揺動式電子部品付き回転式電子部品（電子部品）
１０  取付板（取付部材）
２０  フレキシブル回路基板（回路基板）
２３  摺接パターン（電気的機能部）
２５  発光素子
４０  揺動式電子部品
４９  クリック係合部
６０  回転体（移動体）
６５  第２透光部
７０  摺動子（電気的機能部）
８０  クリック機構
８１  板バネ
８３  クリック体
９０  ケース
１０１  第１透光部
１１０  導光体
１２０  回転つまみ（つまみ）
１２７  第３透光部
１５０  銘板
１５５  透光表示部
【図１】
2008123902.tif 000003
【図２】
2008123902.tif 000004
【図３】
2008123902.tif 000005
【図４】
2008123902.tif 000006